(57)【要約】      （修正有）【課題】他人に容易に見られること無く、秘密裏にペットの戒名や法名、命日を記した位牌や写真を身近における位牌を提供する。【解決手段】塔１は、頭部３とこれに続く胴部２とが外観として連続した面で結ばれており、胴部内に収容された柱４に戒名や法名、命日を記した位牌や写真が収容可能な額部４２が設けられる。塔１の先端に位置する頭部３は、先細の紡錘形若しくは、これに近似した多面体形状を有しており、摘まみにくい形状をしている。具体的には、頭部とこれに続く胴部とが外観として連続した面で結ばれている。柱４は直方体形状であって、胴部内に設けられた案内路を摺動する。柱の下端部を押し上げて頭部を胴部から分離して隙間Ｚを開くリフト５が設けられている。隙間を手かがりに、柱を引き出すことができる。【選択図】図１
0003208489.tif 000002
【実用新案登録請求の範囲】
【請求項１】
頭部とこれに続く胴部とが外観として連続した面で結ばれており、前記頭部に固定された柱が前記胴部に収容され、当該柱に戒名や法名、命日を記した位牌や写真が収容可能な額部を有する塔であって、
前記頭部と胴部との境界位置であって、胴部外周面の縁における接線ｐおよび頭部外周面の縁における接線ｑとが一致する関係にあり、
前記頭部は、頂上に到るまで、接線ｑと同一の勾配若しくは、接線ｑに対して後退しており、かつ接線ｑとこれと対称位置の接線ｑ’とが頭部の上空で交わる関係であり、
前記柱は直方体形状であって、前記柱を上下方向に線形状に摺動する案内路が前記胴部に設けられ、さらに、前記柱の下端部を押し上げて前記頭部を胴部から分離して手がかりとなる隙間を開くリフトが設けられていることを特徴とする塔。
【請求項２】
前記リフトは、胴部に押し込まれることにより前記頭部を胴部から分離することを特徴とする請求項１の塔。
【考案の詳細な説明】
【技術分野】
【０００１】
本考案は、ペットの戒名や法名、命日を記した位牌や写真を収容した位牌に関する。
【背景技術】
【０００２】
ペットを飼育する人は、家族の一員として大事にペットを飼育する。この様な場合、ペットが亡くなったときも、供養も人間と同様に行いたいと希望する人が増えている。そこで最近では、家には仏壇を設置し、戒名や法名、命日を記した位牌や写真を仏壇の前や中に設置、安置する要望が出てきた。例えば、特許文献１によれば、位牌、納骨箱、写真額等を収容したペット用位牌が提案されている。
【先行技術文献】
【特許文献】
【０００３】
【特許文献１】特開平２００２−２１５２４６号公報
【考案の開示】
【考案が解決しようとする課題】
【０００４】
しかしながら、公知の位牌は、見るからに位牌然としている。また、見るからに位牌であるという形状でない場合、見慣れぬものに興味を示した他人が手にとって、頭部をねじる等して容易に開封してしまうという問題があった。ペットの戒名や法名、命日を記した位牌や写真を家の中で身近に置いておきたいが、家を訪れた他人の目にとまるのも忌避したく、かつ、関心も起こさせたくないとの要望に答えられるものは無かった。
【０００５】
本発明は上記の点に鑑みてなされたもので、その目的とするところは、他人に容易に見られること無く、秘密裏にペットの戒名や法名、命日を記した位牌や写真を身近における位牌を提供することにある。
【課題を解決するための手段】
【０００６】
本考案の塔によれば、頭部とこれに続く胴部とが外観として連続した面で結ばれており、前記頭部に固定された柱が前記胴部に収容され、当該柱に戒名や法名、命日を記した位牌や写真が収容可能な額部を有する塔であって、
前記頭部と胴部との境界位置であって、胴部外周面の縁における接線ｐおよび頭部外周面の縁における接線ｑとが一致する関係にあり、
前記頭部は、頂上に到るまで、接線ｑと同一の勾配若しくは、接線ｑに対して後退しており、かつ接線ｑとこれと対称位置の接線ｑ’とが頭部の上空で交わる関係であり、
前記柱は直方体形状であって、前記柱を上下方向に線形状に摺動する案内路が前記胴部に設けられ、さらに、前記柱の下端部を押し上げて前記頭部を胴部から分離して手がかりとなる隙間を開くリフトが設けられていることを特徴とする。
【考案の効果】
【０００７】
本発明によれば、頭部を旋回しようとしても、頭部は動くことがない。また、頭部を摘まみ頭部に対して引き上げる力を伝達しようとしても指が滑り、頭部は動くことがない。従って、本考案の塔に対して、単なる好奇心から、ちょっと触ってこれを弄ろうとしても、塔は何ら反応することがない。他人はそれ以上、家人の許しも無い状態で、塔に対する関心を寄せて弄ることは困難である。
【図面の簡単な説明】
【０００８】
【図１】本考案の塔の一実施例を示す図であり、図１Ａは側面図、図１Ｂは側面断面図、図１Ｃは柱を露出した状態の正面図、図１Ｄは柱を露出した状態の側面断面図、図１ＥはＸ−Ｘ断面図、図１ＦはＹ−Ｙ断面図である。
【図２】頭部の引き出しを試みる状態を示す図であり、図２Ａはひねりによる引き出しを示す図、図２Ｂはつまみ上げによる引き出しを示す図である。
【図３】他の実施例を示す図で有り、図３Ａ、図３Ｂは側面断面図、図３Ｃは柱を露出した状態の背面断面図、図３Ｄは柱を露出した状態の正面図である。
【考案を実施するための最良の形態】
【０００９】
本考案の塔は、先端に位置する頭部は、先細の紡錘形若しくは、これに近似した多面体形状を有しており、摘まみにくい形状をしている。具体的には、頭部とこれに続く胴部とが外観として連続した面で結ばれていることである。そして、胴部外周面の縁における接線ｐおよび頭部外周面の縁における接線ｑとが一致する関係にあることである。また、頭部自体に手かがりとなるような形状を有しないことである。これは、頭部は、頂上に到るまで、接線ｑと同一の勾配若しくは、接線ｑに対して後退しており、かつ接線ｑとこれと対称位置の接線ｑ’とが頭部の上空で交わる関係となる外形を有していることにより実現される（接線ｐ、接線ｑ、接線ｐ’、接線ｑ’については、図１Ａを参照）。また、ひねりによる開放する試みを排除するために、柱を直方体形状としているため案内路を摺動のみ可能であり、柱に固定された頭部はひねりに対して動くことが無いようにしている。
【実施例１】
【００１０】
図１において、本実施例の塔１は高さ２５ｃｍ、直径１６ｃｍ程度の大きさの木製塔であって、全体として先細の紡錘形若しくは、これに近似した多面体形状を有している。塔１は胴部２と、先端に位置する頭部３とを有しており、胴部２と頭部３の境界は滑らかに連続している。６は底板である。具体的には、当該境界における胴部２外周面の縁における接線ｐは、同境界における頭部３外周面の縁における接線ｑと一致する。また、頭部３は、頂上に到るまで、接線ｑと同一の勾配若しくは、接線ｑに対して後退する外形を有している。そして、対称位置における胴部２の縁における接線ｐ’および対称位置における頭部３の縁における接線ｑ’と接線ｐ及び接線ｑが頭部３の上空で交わり、このなす角度θは６０度である。このような定義のできる典型的な形状が、三角錐形状、四角錐形状、円錐形状、砲弾形状等である。角度θが小さくなる程、頭部３を単独で摘まみやすくなる。胴部２に対して頭部３が分離して上に伸張する。胴部２の内部には、直方体形状の柱４が納められている。胴部２には案内路２１が設けられており、柱４は案内路２１に沿って上下に摺動する。案内路２１の途中には、鉄板２２、２３が固定されており、一方で柱４の摺動面には磁石４１が固定されている。磁石４１と鉄板２２、２３とが向き合う位置で、柱４の位置を磁力により保持することができる。
【００１１】
柱４と頭部３は一体状に固定されている。柱４には、格納された戒名や法名、命日を記した位牌や写真を収容できる額部４２が設けられている。柱４は、正方形に近い横断面を有している。胴部２の底部には、柱４を下から押し上げるリフト５が設けられている。リフト５の先端は、テーパー状の傾斜部５１となっており、胴部２の外周に現れたリフト５の尾部５２を中心に向かって押し込むことにより、傾斜部５１が案内路２１内に進入して柱４の下端部を押し上げる。リフト５は、弾性体７により、通常は胴部２の外周側に向けて付勢されている。
【００１２】
塔１において柱４を引き出す手順は、まずリフト５を中心に向かって押し込む。すると、傾斜部５１が案内路２１内に進入して柱４の下端部を押し上げるため、頭部３が胴部２から分離して隙間Ｚを境界に開く。この隙間Ｚを手がかりにして、頭部３を胴部２から引き出す。尚、磁石４１は、リフト５が押し込まれ柱４が押し上げられた位置で鉄板２２に吸着し、柱４を一時的に保持する。また、頭部３が、胴部２から引き出されたときには、磁石４１は鉄板２３に吸着して柱４の位置を一時的に保持する。図中、Ｃｏｆは、遺骨やペット由来の小片が収容できる筒であり、頭部３により隠れてしまう胴部２の肩の位置に設けられた収容穴２４の中に納めることができる。
【００１３】
塔１の本来の柱４の引き出しの手順は上記の通りであるが、図２は本実施例の塔１の扱い方を知らない他人が開閉を試みた様子を示している。
まずは、ビンの蓋を取ったりペットボトルのキャップを外したりする動作と同じように、頭部３をひねる動作である。塔１は全体として先細の紡錘形若しくは、これに近似した多面体形状ではあるが、手の指を頭部３に押しつけることにより、指の腹と頭部３の摩擦力が大幅に増加する。その結果、頭部３に対して大きな旋回力を与えることができる。本実施例の塔１が、特許文献１の位牌と同様に頭部をスクリュー式のキャップにしていた場合には容易に頭部３を外すことができてしまう。
【００１４】
本実施例の塔１おいては、頭部３は柱４に固定されている状態である。また、柱４は直方体形状であって、案内路２１内を回転できず、移動方向は上下の線形方向のみであるから、いくら、図２Ａのように頭部３を旋回しようとしても、頭部３は動くことがない。
【００１５】
また、頭部３を摘まみ上げようとしても、胴部２の縁における接線ｐは、同境界における頭部３の縁における接線ｑと一致し、また、頭部３は、頂上に到るまで、接線ｑと同一の勾配若しくは、接線ｑに対して後退する外形を有しているため、頭部３に対して引き上げる力を伝達しようとしても指が滑り、頭部３は動くことがない。従って、塔１を見て単なる好奇心から、ちょっと触ってこれを弄ろうとしても、塔１は何ら反応することがない。他人はそれ以上、家人の許しも無い状態で、塔１に対する関心を寄せて弄ることは困難である。
このように、柱４を引き出せるのは、正しい手順を知っている飼い主のみである。または、この塔１の使用方法を知っている、ペットに対する同じ思いを持った人間のみである。
【実施例２】
【００１６】
図３は、他の実施例による塔１００を示している。実施例１では正方形に近い横断面を有する柱４であったのに対して、実施例１の柱１０４は長方形状の横断面を有しており、実施例１よりも写真を収容するのに適したより広い面積の額部１４２を有している。また、リフト５の動作において、実施例１ではリフト１０５のテーパー状の傾斜部５１を用いてリフト５の先端は、テーパー状の傾斜部５１となっており、胴部２の外周に現れたリフト５の尾部５２を中心に向かって押し込むことにより、傾斜部５１が案内路２１内に進入して柱４の下端を押し上げていたが、実施例２のリフト１０５は、支点Ｒを中心とした梃子の原理により、柱１０４の下端を押し上げる。すなわち、胴部１０２の外周側に現れているリフト１０５の尾部１５２を押し下げることにより、先端部１５１が柱１０４の下端を押し上げて隙間Ｚを開く。柱１０４は、案内路１２１を上下な線形状に摺動する。柱１０４をさらに引き上げて、額部１４２を出現させる。柱１０４の位置固定は、磁石１４１と鉄板１２３の位置により決定される。頭部１０３が柱１０４に一体的に固定されている点、柱１０４が胴部１０２の案内路１２１内で旋回せず、上下方向でのみ線形移動可能である点は、実施例１と同じである。また、接線ｐ、接線ｑ、接線ｐ’、接線ｑ’についても同様な関係である。
【符号の説明】
【００１７】
１、１００  塔
２、１０２  胴部
３、１０３  頭部
４、１０４  柱
５、１０５  リフト
６  底板
７  弾性体
【図１】
0003208489.tif 000003
【図２】
0003208489.tif 000004
【図３】
0003208489.tif 000005